(57)【要約】      （修正有）【課題】入れられた絵画の所望箇所を光らせることのできる興趣に富んだ額を提供する。【解決手段】部分的に光る絵画入り額は、胸から上の女性の絵画１が描かれた和紙２が額３の裏板の表面に貼付けられ、裏板に女性の絵画１の中で光らせたい箇所すなわち目５、イヤリング６およびネックレス７に相当する位置に円形貫通孔があけられ、円形貫通孔に裏板４の裏面に配置せられた乾電池に抵抗付属リード線で繋がれた発光ダイオード１３、１４、１５が収められて固定されており、乾電池と発光ダイオード１３、１４、１５の間には、スイッチ付き発光ダイオード専用点滅器が介在せられている。【選択図】図１
2013022254.tif 000002
【特許請求の範囲】
【請求項１】
裏板の絵画の中で光らせたい箇所に相当する位置に光らせたい大きさの貫通孔があけられ、貫通孔にリード線で繋がれた発光ダイオードが収められて固定され、リード線は発光ダイオード専用点滅器を介して電源に接続または接続しうるようになされ、絵画が描かれた光を透過する紙が裏板の表面に貼付けられている部分的に光る絵画入り額。
【請求項２】
裏板に絵画の中で光らせたい箇所に相当する位置に光らせたい範囲に複数の細い貫通孔があけられ、複数の貫通孔それぞれに光ファイバーの先端が入れられて固定せられ、複数の光ファイバーの後端が束ねられて所定長さのチューブに納められ、裏板の裏面に配置せられかつリード線で繋がれた発光ダイオードの表面に接触せしめられ、リード線は発光ダイオード専用点滅器を介して電源に接続または接続しうるようになされ、絵画が描かれた光を透過する紙が裏板の表面に貼付けられている部分的に光る絵画入り額。
【請求項３】
裏板に絵画の中で光らせたい箇所に相当する複数の位置のうち任意のものに光らせたい大きさの貫通孔があけられこれにリード線で繋がれた発光ダイオードが収められて固定されるとともに、残りのものに光らせたい範囲に複数の細い貫通孔があけられ、複数の貫通孔それぞれに光ファイバーの先端が入れられて固定せられ、複数の光ファイバーの後端が束ねられて所定長さのチューブに納められ、裏板の裏面に配置せられかつリード線で繋がれた発光ダイオードの表面に接触せしめられ、リード線は発光ダイオード専用点滅器を介して電源に接続または接続しうるようになされ、絵画が描かれた光を透過する紙が裏板の表面に貼付けられている部分的に光る絵画入り額。
【請求項４】
リード線は、発光ダイオード専用点滅器を介することなく電源に接続または接続しうるようになされている請求項1ないし3項のいずれか一項に記載の部分的に光る絵画入り額。
【請求項５】
絵画が描かれた光を透過する紙のコピーをとり、コピーを裏板の表面に仮止めし、コピーの絵画の中で光らせたい箇所を特定してコピー側から裏板に光らせたい大きさの貫通孔をあけるか、光らせたい範囲に複数の細い貫通孔をあけるか、または両者の貫通孔をあけた後、コピーを裏板から除去し、光らせたい大きさにあけられた貫通孔にリード線で繋いだ発光ダイオードを収めて固定するか、光らせたい範囲にあけられた複数の細い貫通孔それぞれに光ファイバーの先端を入れて固定し、複数の光ファイバーの後端を束ねて所定長さのチューブに納め、裏板の裏面に配置しかつリード線で繋いだ発光ダイオードの表面に接触せしめ、リード線を発光ダイオード専用点滅器を介しまたは介することなく電源に接続しまたは接続しうるようになし、絵画が描かれた光を透過する紙を裏板の表面に貼付けることを特徴とする部分的に光る絵画入り額の製造法。
【請求項６】
絵画が描かれた光を透過する紙を裏板の表面に接着するに当たり、光らせたい大きさの貫通孔の周囲若干部分を除いて裏板の表面全体に接着剤を塗布することを特徴とする請求項５記載の部分的に光る絵画入り額の製造法。
【発明の詳細な説明】
【技術分野】
【０００１】
本発明は、部分的に光る絵画入り額およびその製造法に関する。
【背景技術】
【０００２】
従来の額は、単に絵画が入れられただけのものである。
【発明の概要】
【発明が解決しようとする課題】
【０００３】
単に絵画を部屋に飾るために入れるものというのが従来の額の常識であり、それ以上のものではなかった。
【０００４】
本発明の目的は、入れられた絵画の所望箇所を光らせることのできる興趣に富んだ額を提供することにある。
【課題を解決するための手段】
【０００５】
請求項１の発明による部分的に光る絵画入り額は、裏板の絵画の中で光らせたい箇所に相当する位置に光らせたい大きさの貫通孔があけられ、貫通孔にリード線で繋がれた発光ダイオードが収められて固定され、リード線は発光ダイオード専用点滅器を介して電源に接続または接続しうるようになされ、絵画が描かれた光を透過する紙が裏板の表面に貼付けられているものである。
【０００６】
請求項２の発明による部分的に光る絵画入り額は、裏板に絵画の中で光らせたい箇所に相当する位置に光らせたい範囲に複数の細い貫通孔があけられ、複数の貫通孔それぞれに光ファイバーの先端が入れられて固定せられ、複数の光ファイバーの後端が束ねられて所定長さのチューブに納められ、裏板の裏面に配置せられかつリード線で繋がれた発光ダイオードの表面に接触せしめられ、リード線は発光ダイオード専用点滅器を介して電源に接続または接続しうるようになされ、絵画が描かれた光を透過する紙が裏板の表面に貼付けられているものである。
【０００７】
請求項３の発明による部分的に光る絵画入り額は、裏板に絵画の中で光らせたい箇所に相当する複数の位置のうち任意のものに光らせたい大きさの貫通孔があけられこれにリード線で繋がれた発光ダイオードが収められて固定されるとともに、残りのものに光らせたい範囲に複数の細い貫通孔があけられ、複数の貫通孔それぞれに光ファイバーの先端が入れられて固定せられ、複数の光ファイバーの後端が束ねられて所定長さのチューブに納められ、裏板の裏面に配置せられかつリード線で繋がれた発光ダイオードの表面に接触せしめられ、リード線は発光ダイオード専用点滅器を介して電源に接続または接続しうるようになされ、絵画が描かれた光を透過する紙が裏板の表面に貼付けられているものである。
【０００８】
請求項４の発明は、請求項1ないし3項のいずれか一項に記載の部分的に光る絵画入り額において、リード線は発光ダイオード専用点滅器を介することなく電源に接続または接続しうるようになされているものである。
【０００９】
請求項５の発明による部分的に光る絵画入り額の製造法は、絵画が描かれた光を透過する紙のコピーをとり、コピーを裏板の表面に仮止めし、コピーの絵画の中で光らせたい箇所を特定してコピー側から裏板に光らせたい大きさの貫通孔をあけるか、光らせたい範囲に複数の細い貫通孔をあけるか、または両者の貫通孔をあけた後、コピーを裏板から除去し、光らせたい大きさにあけられた貫通孔にリード線で繋いだ発光ダイオードを収めて固定するか、光らせたい範囲にあけられた複数の細い貫通孔それぞれに光ファイバーの先端を入れて固定し、複数の光ファイバーの後端を束ねて所定長さのチューブに納め、裏板の裏面に配置しかつリード線で繋いだ発光ダイオードの表面に接触せしめ、リード線を発光ダイオード専用点滅器を介しまたは介することなく電源に接続しまたは接続しうるようになし、絵画が描かれた光を透過する紙を裏板の表面に貼付けることを特徴とするものである。
【００１０】
請求項６の発明は、請求項５記載の部分的に光る絵画入り額の製造法において、絵画が描かれた光を透過する紙を裏板の表面に接着するに当たり、光らせたい大きさの貫通孔の周囲若干部分を除いて裏板の表面全体に接着剤を塗布することを特徴とするものである。
【発明の効果】
【００１１】
請求項１の発明による部分的に光る絵画入り額は、裏板に絵画の中で光らせたい箇所に相当する位置に光らせたい大きさの貫通孔があけられ、貫通孔にリード線で繋がれた発光ダイオードが収められて固定され、リード線は発光ダイオード専用点滅器に接続せられ、絵画が描かれた光を透過する紙が裏板の表面に貼付けられているから、発光ダイオードに電気を通じると、光を透過する紙に描かれた絵画のなかの光らせたい部分、絵画が例えばイヤリングとネックレスをつけた女性の半身像の場合、眼の玉やイヤリングおよびネックレスを光らせかつこれを点滅せしめ得るので、興趣豊かなものとなる。そして部屋を暗くすると、この点滅が一層はっきりする。
【００１２】
請求項２の発明による部分的に光る絵画入り額は、裏板に絵画の中で光らせたい箇所に相当する位置に光らせたい範囲に複数の細い貫通孔があけられ、貫通孔それぞれに光ファイバーの先端が入れられて固定せられ、複数の光ファイバーの後端が束ねられて所定長さのチューブに納められ、裏板の裏面に配置せられかつリード線で繋がれた発光ダイオードの表面に接触せしめられ、リード線は発光ダイオード専用点滅器に接続せられ、絵画が描かれた光を透過する紙が裏板の表面に貼付けられているから、発光ダイオードに電気を通じると、発光ダイオードから光を得た複数の光ファイバーにより、光を透過する紙に描かれた絵画のなかの前記の光らせたい部分のうち、例えばイヤリングやネックレス部分を細かい光の集まりとして光らせることができ、上記とは異なった感じの興趣豊かなものとなる。
【００１３】
請求項３の発明による部分的に光る絵画入り額は、裏板に絵画の中で光らせたい箇所に相当する複数の位置の任意のものに光らせたい大きさの貫通孔があけられこれにリード線で繋がれた発光ダイオードが収められて固定されるとともに、残りのものに光らせたい範囲に複数の細い貫通孔があけられ、貫通孔それぞれに光ファイバーの先端が入れられて固定せられ、複数の光ファイバーの後端が束ねられて所定長さのチューブに納められ、裏板の裏面に配置せられかつリード線で繋がれた発光ダイオードの表面に接触せしめられ、リード線は発光ダイオード専用点滅器に接続せられ、絵画が描かれた光を透過する紙が裏板の表面に貼付けられているから、２種類の光が絵画上に得られ、上記とは異なった興趣豊かなものとなる。
【００１４】
請求項４の発明は、請求項1ないし3項のいずれか一項に記載の部分的に光る絵画入り額において、リード線は発光ダイオード専用点滅器を介することなく電源に接続または接続しうるようになされているから、光を透過する紙に描かれた絵画のなかの前記の光らせたい部分は、上記のように点滅はしないが、光っているので、これはこれで点滅する場合と異なった趣を絵画入り額に与える。
【００１５】
請求項５の発明による部分的に光る絵画入り額の製造法は、絵画が描かれた光を透過する紙のコピーをとり、コピーを裏板の表面に仮止めし、コピーの絵画の中で光らせたい箇所を特定してコピー側から裏板に光らせたい大きさの貫通孔をあけるか、光らせたい範囲に複数の細い貫通孔をあけるか、または両者の貫通孔をあけた後、コピーを裏板から除去するものであるから、絵画の光らせたい箇所を正確に特定して裏板に光らせたい大きさの貫通孔をあけるか、光らせたい範囲に複数の細い貫通孔をあけることができる。その後、光らせたい大きさにあけられた貫通孔にリード線で繋いだ発光ダイオードを収めて固定するか、光らせたい範囲にあけられた複数の細い貫通孔それぞれに光ファイバーの先端を入れて固定し、複数の光ファイバーの後端を束ねて所定長さのチューブに納め、裏板の裏面に配置しかつリード線で繋いだ発光ダイオードの表面に接触せしめ、リード線を発光ダイオード専用点滅器を介しまたは介することなくに電源に接続しまたは接続しうるようになした後、絵画が描かれた光を透過する紙を裏板の表面に接着すればよい。
【００１６】
請求項６の発明は、請求項５記載の部分的に光る絵画入り額の製造法において、絵画が描かれた光を透過する紙を裏板の表面に接着するに当たり、光らせたい大きさの貫通孔の周囲若干部分を除いて裏板の表面全体に接着剤を塗布するものであるから、接着剤が絵画の中で光らせたい箇所ににじみ出ることがなく、所望の光を得ることができる。
【図面の簡単な説明】
【００１７】
【図１】部分的に光る絵画入り額の正面図である。
【図２】押さえ板の一部を切り欠いた額の要部拡大部分背面図で、分かり易くするため、貫通孔をなくして発光ダイオードが裏板の裏面に示されている。
【図３】図１のIII−III線にそう拡大断面図である。
【図４】光ファイバーを用いたさいの額の拡大部分縦断面図である。
【図５】額の裏板の表面に絵画のコピーを仮止めし、コピー側から裏板に光らせたい大きさの貫通孔をあけた状態を示す斜視図である。
【図６】絵画のコピーを除去し、貫通孔があけられた状態を示す額の裏板の斜視図である。
【発明を実施するための形態】
【００１８】
図１ないし図３は、胸から上の女性の絵画(１)が描かれた光を透過する紙である和紙(２)が額(３)のベニヤ板製裏板(４)の表面に貼付けられ、裏板(４)に女性の絵画(１)の中で光らせたい箇所すなわち目(５)、イヤリング(６)およびネックレス(７)に相当する位置に光らせたい大きさの円形貫通孔(８) (９) (１０)があけられ、円形貫通孔(８) (９) (１０)に裏板(４)の裏面に配置せられた電源である乾電池(１１)に抵抗付属リード線(１２)で繋がれた発光ダイオード(１３) (１４) (１５) が収められて接着剤で固定されている部分的に光る絵画入り額を示す。乾電池(１１)と発光ダイオード(１３) (１４) (１５)の間には、スイッチ(１６)付き発光ダイオード専用点滅器(１７)が介在せられている。乾電池(１１)は乾電池ケース(１８)に収められている。裏板(４)の裏面には、方形貫通孔(図示略)を有する押さえ板(２０)が取付けられている。スイッチ(１６)付き発光ダイオード専用点滅器(１７)は、押さえ板(２０)の方形貫通孔内にある。なお、絵画(１)が描かれた和紙(２)の裏には、裏打紙が貼られている。スイッチ(１６)付き発光ダイオード専用点滅器(１７)および乾電池ケース(１８)は、両面接着テープで裏板(４)の裏面に接合されている。図示は略したが、リード線(１２)は粘着テープで所々が裏板(４)の裏面に止められている。
【００１９】
そして、目(５)の位置にある発光ダイオード(１３)は白色、イヤリング(６) の位置にある発光ダイオード(１４)は緑色、ネックレス(７)の 位置にある発光ダイオード (１５)は赤色となされている。発光ダイオードには、その他黄色や青色があるので、光らせたいものに応じて任意のものを選べばよい。
【００２０】
図４は、裏板(４)に絵画(１)の中で光らせたい箇所に相当する位置に光らせたい範囲に複数の細い貫通孔(２１)があけられ、貫通孔(２１)それぞれに光ファイバー(２２)の先端が入れられて接着剤で固定せられ、複数の光ファイバー(２２)の後部が束ねられて所定長さのアクリル樹脂製チューブ(２３)に納められ、これの上端が裏板(４)の裏面に固定せられた逆L形取付け部材(２４)の円形貫通孔(２５)に下から嵌入れられて固定せられ、複数の光ファイバー(２２)の後端がリード線(２６)で繋がれた発光ダイオード(２７)の表面に接触せしめられている。光ファイバー(２２)は伸ばすことができるので、逆L形取付け部材(２４)は裏板(４)の適当な位置に配置すればよい。なお、絵画(２)の中で光らせたい箇所が、図示のように複数ある場合は、発光ダイオードを用いる部分と光ファイバーを用いる部分との両方があってもよい。なお、光ファイバーの直径は、０．２５mm、０．５mm、０．７５mm、１．０mmと太さの異なるものがあるので、適宜その中から選び、それに対応して貫通孔(２１)の径が決められる。また、光ファイバー(２２)の先端が、貫通孔(２１)の先端と一致するように、光ファイバー(２２)を貫通孔(２１)に入れるさい、裏板(４)の表面に着脱自在な当板を配する。
【００２１】
この実施形態では、発光ダイオード専用点滅器(１７)が存在するが、これをなくしてリード線を直接乾電池に接続してもよい。またこの実施形態では、電源として乾電池が用いられているが、乾電池をなくし、リード線をまとめて先端にプラグを取付け、部屋の壁にあるコンセントに差込むようにしてもよい。
【００２２】
図５および図６は、裏板(４)に女性の絵画(１)の中で光らせたい箇所すなわち目(５)、イヤリング(６)およびネックレス(７)に相当する位置に光らせたい大きさの円形貫通孔(８) (９) (１０)をあける手順を示す。まず、絵画(１)が描かれた和紙(２)のコピーをとり、コピー(２８)を裏板(４)の表面に仮止めし、このコピー(２８)の中で光らせたい箇所を特定してコピー(２８)側から裏板(４)に光らせたい大きさの貫通孔(８) (９) (１０) を電気ドリルであける。つぎに、コピー(２８)を裏板(４)から除去すると、所定位置に貫通孔(８) (９) (１０) を有する裏板(４)が得られる(図５参照)。つぎに、絵画(１)が描かれた和紙(２)を裏板(４)の表面に接着する。このさい、光らせたい大きさの貫通孔(８) (９) (１０)の周囲若干部分(８a)(９a )(１０a)を除いて裏板(４)の表面全体に接着剤を塗布する(図６参照)。その後、裏板(４)の表面全体に絵画(１)が描かれた和紙(２)を接着する(図1参照)。
【００２３】
光らせたい範囲に複数の細い貫通孔をあける場合の手順も上記と全く同様である。なお、絵画は任意のものでよく、例えば、龍であれば、龍の目を光らせるようにしてもよい。
【符号の説明】
【００２４】
(１)  絵画
(２)  光を透過する紙(和紙)
(３)  額
(４)  裏板
(５)  光らせたい箇所(目)
(６)  光らせたい箇所(イヤリング)
(７)   光らせたい箇所(ネックレス)
(８)(９)(１０)  貫通孔 
(１２)  抵抗付属リード線
(１３) (１４) (１５) 発光ダイオード
(１７)   発光ダイオード専用点滅器
(２１)   細い貫通孔
(２２)   光ファイバー
【図１】
2013022254.tif 000003
【図２】
2013022254.tif 000004
【図３】
2013022254.tif 000005
【図４】
2013022254.tif 000006
【図５】
2013022254.tif 000007
【図６】
2013022254.tif 000008